(57)【特許請求の範囲】
【請求項１】
ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなる通信ネットワークのシグナリング制御方法であって、
前記管理用ネットワークに接続された制御ノードと前記制御ノード及び前記管理用ネットワークに接続された通信ノードとからなるシグナリング対応通信装置と、前記管理用ネットワークに接続された通信ノードのみからなるシグナリング非対応通信装置とを用いて前記通信ネットワークを構成し、
前記ユーザデータ転送用ネットワーク内で前記シグナリング非対応通信装置を経由するパス設定が要求された際に、前記ネットワーク管理システムは前記シグナリング非対応通信装置の通信ノードを構成変更し、
前記シグナリング対応通信装置の制御ノードは前記制御用ネットワークの設定要求パス上でシグナリングメッセージを順次転送して通信ノードの構成変更を行うことを特徴とするシグナリング制御方法。
【請求項２】
ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなる通信ネットワークのシグナリング制御方法であって、
前記管理用ネットワークに接続された制御ノードと前記制御ノード及び前記管理用ネットワークに接続された通信ノードとからなるシグナリング対応通信装置と、前記管理用ネットワークに接続された通信ノードのみからなるシグナリング非対応通信装置の集合であるドメインとを用いて前記通信ネットワークを構成し、
前記ユーザデータ転送用ネットワーク内で前記ドメインを経由するパス設定が要求された際に、前記ネットワーク管理システムは前記ドメインの各シグナリング非対応通信装置の通信ノードを構成変更し、
前記シグナリング対応通信装置の制御ノードは前記制御用ネットワークの設定要求パス上でシグナリングメッセージを順次転送して通信ノードの構成変更を行うことを特徴とするシグナリング制御方法。
【請求項３】
請求項２記載のシグナリング制御方法であって、
前記ユーザデータ転送用ネットワーク内で前記ドメインを経由するパス設定が要求された際に、前記ドメインに隣接するシグナリング対応通信装置の制御ノードは前記シグナリングメッセージを受信すると前記ネットワーク管理システムに前記ドメインの通信ノードの構成変更を要求し、
前記ドメインの通信ノードの構成変更後、前記ドメインに隣接するシグナリング対応通信装置の制御ノードは前記シグナリングメッセージに対して前記シグナリング非対応通信装置が行うべき手続きを実行し、前記制御用ネットワークの設定要求パス上で前記ドメインに隣接する次のシグナリング対応通信装置の制御ノードにシグナリングメッセージを転送して通信ノードの構成変更を行うことを特徴とするシグナリング制御方法。
【請求項４】
ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなる通信ネットワークを構成し、前記管理用ネットワークに接続された制御ノードと前記制御ノード及び前記管理用ネットワークに接続された通信ノードとからなるシグナリング対応通信装置において、
隣接する通信装置が前記制御ノードを持つシグナリング対応か否かの隣接ノード状態情報を記憶した隣接ノード状態情報記憶手段と、
シグナリングメッセージにより隣接するシグナリング非対応通信装置に対しパス設定を要求されたとき、前記シグナリングメッセージに対して前記シグナリング非対応通信装置が行うべき手続きを実行し、前記制御用ネットワークの設定要求パス上で前記シグナリング非対応通信装置に隣接する次のシグナリング対応通信装置の制御ノードにシグナリングメッセージを転送するメッセージ転送手段を
有することを特徴とするシグナリング対応通信装置。
【請求項５】
ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなり、前記管理用ネットワークに接続された制御ノードと前記制御ノード及び前記管理用ネットワークに接続された通信ノードとからなるシグナリング対応通信装置と、前記管理用ネットワークに接続された通信ノードのみからなるシグナリング非対応通信装置とを用いて構成した通信ネットワークにおけるネットワーク管理システムにおいて、
前記ユーザデータ転送用ネットワーク内で前記シグナリング非対応通信装置を経由するパス設定が要求された際、または、前記シグナリング非対応通信装置に隣接するシグナリング対応通信装置の制御ノードからの要求により、前記シグナリング非対応通信装置の通信ノードの構成変更を行う手段を
有することを特徴とするネットワーク管理システム。
【発明の詳細な説明】
【０００１】
【発明の属する技術分野】
本発明は、シグナリング制御方法及びシグナリング対応通信装置及びネットワーク管理システムに関し、それぞれ独立した管理用ネットワーク、制御用ネットワーク、ユーザデータ転送用ネットワークから構成される通信ネットワークにおけるシグナリング制御方法及びシグナリング対応通信装置及びネットワーク管理システムに関する。
【０００２】
【従来の技術】
現在、ＩＰ（Ｉｎｔｅｒｎｅｔ  Ｐｒｏｔｏｃｏｌ）ベースの多様なマルチメディアサービスを実現するため、ＷＤＭ（Ｗａｖｅｌｅｎｇｔｈ  Ｄｉｖｉｓｉｏｎ  Ｍｕｌｔｉｐｌｅｘｅｒ）、ＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）、ＩＰ／ＭＰＬＳ（Ｍｕｌｔｉ  ＰｒｏｔｏｃｏｌＬａｂｅｌ  Ｓｗｉｔｃｈｉｎｇ）網を統合した大容量ＩＰフォトニックネットワークの制御／管理技術が注目されている。
【０００３】
従来、ＷＤＭ、ＳＯＮＥＴ／ＳＤＨ技術に代表される伝送系のコアネットワークは、集中管理型のシステムとして構築されており、信頼性の高いサービスを提供してきた。一方、ＩＰ／ＭＰＬＳ技術などに代表されるパケット交換型のネットワークは、スケーラビリティの高い柔軟な自律分散制御型のシステムとして構築されている。両者の利点を活かし、ネットワークのオペレーションコストを削減するため、集中管理と自律分散制御の中間型のシステムを目指すことが重要となる。
【０００４】
つまり、ＯＩＦ−ＵＮＩ（Ｏｐｔｉｃａｌ  Ｉｎｔｅｒｗｏｒｋｉｎｇ  Ｆｏｒｕｍ  −  Ｕｓｅｒ  Ｎｅｔｗｏｒｋ  Ｉｎｔｅｒｆａｃｅ）やＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）のシグナリングをベースとした、オンデマンド型の各レイヤパス設定／帯域変更、光パスのショートカット制御等が検討されている。
【０００５】
ここで、本発明におけるシグナリング技術の前提となるＧＭＰＬＳの概要について述べる。ＧＭＰＬＳは、ＩＰネットワークで標準化されているＭＰＬＳを拡張して、ＴＤＭレイヤや光レイヤなど他の分野に適用することにより、例えば、ＳＯＮＥＴやＷＤＭなどのトポロジー収集やパス設定などをダイナミックに実行できるようにする技術である。このＧＭＰＬＳの目的は、以下の通りである。
【０００６】
ネットワーク管理システムＮＭＳが集中的に詳細なネットワークトポロジーを把握するのではなく、各ノードが自律的に管理することにより、ネットワーク規模の拡大によるネットワーク運用コストの増大を抑制する。
【０００７】
ネットワーク管理システムＮＭＳから各通信ノードを構成変更するのではなく、パスの終端ノードに要求するだけでパス設定を行うことにより、ユーザ要求に対するネットワーク設定時間の短縮を計る。
【０００８】
キャリア（コア通信事業者）ネットワーク独自の制御形態を作るのではなく、ＩＰネットワークで標準化しているＭＰＬＳの制御用ネットワークを拡張してキャリアネットワークに適用し共通化することにより、ネットワーク制御を効率化するとともに、他ベンダ装置とのインターオペラビリティ（相互接続性）を可能とする。
【０００９】
図１は、通信ネットワークの一例のシステム構成図を示す。同図中、システム全体は、管理用ネットワークである管理プレーン１０と、制御用ネットワークである制御プレーン２０と、ユーザデータ転送用ネットワークであるデータプレーン３０に分割されている。
【００１０】
管理プレーン１０は、装置管理及びネットワーク管理及びサービス管理を担当し、ユーザ（ネットワークオペレータ）とのインターフェースを司る。
【００１１】
制御プレーン２０は、シグナリング対応通信装置の通信ノードに併設して実装されている制御ノード２１，２２，２３等で構成され、各制御ノード間でルーティング情報を送受信することにより、目的地までの最適なパス設定を制御する。
【００１２】
データプレーン３０は、通信ノード３１，３２，３３等で構成され、それぞれの通信ノードに併設されている制御ノード２１，２２，２３の指示に従い、データトラフィックをスイッチングし、目的ノードに効率よくユーザデータ伝送を行う。
【００１３】
なお、上記制御ノード２１と通信ノード３１で１つのシグナリング対応通信装置が構成され、同様に制御ノード２２と通信ノード３２で１つのシグナリング対応通信装置が構成され、制御ノード２３と通信ノード３３で１つのシグナリング対応通信装置が構成されている。
【００１４】
上記の通信ネットワークで、シグナリング制御によって構成変更可能な通信装置は、制御プレーン２０経由で相互接続されており、シグナリングメッセージのやり取りだけで自律的な構成変更が可能である。また、従来どおり全ての通信ノード３１〜３３は制御プレーン２０を介して管理プレーン１０に接続されており、管理プレーン１０から構成変更等の指示を受けることも可能となっている。さらに、管理プレーン１０と制御プレーン２０では、トポロジーおよびプロトコルが一般的に異なっている。
【００１５】
【発明が解決しようとする課題】
しかし、通信ネットワーク内でシグナリング制御技術を導入する際、全てのシグナリング非対応通信装置をシグナリング対応通信装置に一斉に置き換えることは、経済的にも作業時間的にも困難であるため、部分的に制御に既存のシグナリング非対応通信装置が残ってしまう場合がある。これらシグナリング非対応通信装置は、通信ノードに制御ノードが併設されてないために制御プレーン２０に接続されておらず、シグナリングメッセージが到達することは無い。
【００１６】
従来のシグナリング制御をベースとするＩＰネットワーク等では、制御メッセージが転送されるネットワークと実際のユーザデータが流れるネットワークは同一であり、全通信ノードが同一のプロトコルで接続されていた。しかし、前提とする通信ネットワークの条件が大きく異なり、制御プレーン２０とデータプレーン３０が独立に構築されている場合、制御プレーン２０内のトポロジー情報収集プロトコルでは、シグナリング非対応通信装置の存在を把握することが困難であり、要求されるパス設定情報との間に矛盾が生じる。即ち、制御プレーン２０内のやり取りのみによって、シグナリング非対応通信装置を含むパス設定のための構成変更はできないという問題があった。
【００１７】
本発明は、上記の点に鑑みなされたものであり、シグナリング対応通信装置とシグナリング非対応通信装置とで構成される通信ネットワークでシグナリング制御によりユーザデータ転送用ネットワークのパス設定を行うことができるシグナリング制御方法及びシグナリング対応通信装置及びネットワーク管理システムを提供することを目的とする。
【００１８】
【課題を解決するための手段】
請求項１に記載の発明は、管理用ネットワークに接続された制御ノードと制御ノード及び管理用ネットワークに接続された通信ノードとからなるシグナリング対応通信装置と、管理用ネットワークに接続された通信ノードのみからなるシグナリング非対応通信装置とを用いて前記通信ネットワークを構成し、
ユーザデータ転送用ネットワーク内でシグナリング非対応通信装置を経由するパス設定が要求された際に、ネットワーク管理システムはシグナリング非対応通信装置の通信ノードを構成変更し、シグナリング対応通信装置の制御ノードは制御用ネットワークの設定要求パス上でシグナリングメッセージを順次転送して通信ノードの構成変更を行うことにより、
シグナリング対応通信装置とシグナリング非対応通信装置とで構成される通信ネットワークでシグナリング制御によりユーザデータ転送用ネットワークのパス設定を行うことができる。
【００１９】
請求項２に記載の発明は、管理用ネットワークに接続された制御ノードと制御ノード及び管理用ネットワークに接続された通信ノードとからなるシグナリング対応通信装置と、管理用ネットワークに接続された通信ノードのみからなるシグナリング非対応通信装置の集合であるドメインとを用いて通信ネットワークを構成し、
ユーザデータ転送用ネットワーク内でドメインを経由するパス設定が要求された際に、ネットワーク管理システムはドメインの各シグナリング非対応通信装置の通信ノードを構成変更し、
シグナリング対応通信装置の制御ノードは制御用ネットワークの設定要求パス上でシグナリングメッセージを順次転送して通信ノードの構成変更を行うことにより、
シグナリング対応通信装置とシグナリング非対応通信装置の集合であるドメインとで構成される通信ネットワークでシグナリング制御によりユーザデータ転送用ネットワークのパス設定を行うことができる。
【００２０】
請求項３に記載の発明は、ユーザデータ転送用ネットワーク内でドメインを経由するパス設定が要求された際に、ドメインに隣接するシグナリング対応通信装置の制御ノードはシグナリングメッセージを受信するとネットワーク管理システムにドメインの通信ノードの構成変更を要求し、
ドメインの通信ノードの構成変更後、ドメインに隣接するシグナリング対応通信装置の制御ノードはシグナリングメッセージに対してシグナリング非対応通信装置が行うべき手続きを実行し、制御用ネットワークの設定要求パス上でドメインに隣接する次のシグナリング対応通信装置の制御ノードにシグナリングメッセージを転送して通信ノードの構成変更を行うことにより、
シグナリング対応通信装置とシグナリング非対応通信装置の集合であるドメインとで構成される通信ネットワークでシグナリング制御により従来と同じ手順でユーザデータ転送用ネットワークのパス設定を行うことができる。
【００２１】
請求項４に記載の発明は、隣接する通信装置が制御ノードを持つシグナリング対応か否かの隣接ノード状態情報を記憶した隣接ノード状態情報記憶手段と、
シグナリングメッセージにより隣接するシグナリング非対応通信装置に対しパス設定を要求されたとき、シグナリングメッセージに対してシグナリング非対応通信装置が行うべき手続きを実行し、制御用ネットワークの設定要求パス上でシグナリング非対応通信装置に隣接する次のシグナリング対応通信装置の制御ノードにシグナリングメッセージを転送するメッセージ転送手段を有することにより、
シグナリング対応通信装置とシグナリング非対応通信装置とで構成される通信ネットワークでシグナリング制御によりユーザデータ転送用ネットワークでパスの設定を行うことが可能となる。
【００２２】
請求項５に記載の発明は、ユーザデータ転送用ネットワーク内でシグナリング非対応通信装置を経由するパス設定が要求された際、または、シグナリング非対応通信装置に隣接するシグナリング対応通信装置の制御ノードからの要求により、シグナリング非対応通信装置の通信ノードの構成変更を行う手段を有することにより、
シグナリング対応通信装置とシグナリング非対応通信装置とで構成される通信ネットワークでシグナリング制御によりユーザデータ転送用ネットワークのパス設定を行うことができる。
【００２３】
【発明の実施の形態】
図２は、本発明の通信ネットワークの第１実施例のシステム構成図を示す。同図中、システム全体は、管理用ネットワークである管理プレーン４０と、制御用ネットワークである制御プレーン５０と、ユーザデータ転送用ネットワークであるデータプレーン６０に分割されている。
【００２４】
管理プレーン４０はネットワーク管理システムＮＭＳを有しており、管理プレーン４０は制御プレーン５０及びデータプレーン６０に接続され、装置管理及びネットワーク管理及びサービス管理を担当し、ユーザ（ネットワークオペレータ）とのインターフェースを司る。
【００２５】
制御プレーン５０は、シグナリング対応通信装置の通信ノードに併設して実装されている制御ノードＣ１，Ｃ２，Ｃ４等で構成され、各制御ノード間でルーティング情報を送受信することにより、目的地までの最適なパス設定を制御する。
【００２６】
データプレーン６０は、通信ノードＮ１，Ｎ２，Ｎ３，Ｎ４等で構成され、それぞれの通信ノードに併設されている制御ノードＣ１，Ｃ２，Ｃ４の指示に従い、データトラフィックをスイッチングし、目的ノードに効率よくユーザデータ伝送を行う。
【００２７】
なお、上記制御ノードＣ１と通信ノードＮ１で１つのシグナリング対応通信装置が構成され、同様に制御ノードＣ２と通信ノードＮ２で１つのシグナリング対応通信装置が構成され、制御ノードＣ４と通信ノードＮ４で１つのシグナリング対応通信装置が構成され、通信ノードＮ３は１つのシグナリング非対応通信装置を構成している。
【００２８】
図２において、まず、ネットワーク管理システムＮＭＳは、管理プレーン４０によって、通信ノードＮ１，Ｎ２，Ｎ３，Ｎ４と接続されており、他の通信ネットワークからのパス設定要求を受け付け、データベース４１に格納された構成情報を参照し、要求された始ノードと終ノード（エンド・エンド）を結ぶパスを計算する。今、通信ノードＮ１からＮ４までのパス設定が要求されたとすると、パスの始点となる通信ノードＮ１にシグナリングによる構成変更を指示する。
【００２９】
このとき、図３に示すような明示経路情報を使用する。図３は、ネットワーク管理システムＮＭＳによって計算されたパスの明示経路情報のデータ構造とデータ例を示す図である。ノード識別子は、パスのホップ順に並べられ、各行では上りおよび下りの構成変更指定ポートが示されている。なお、始ノードの通信ノードＮ１から終ノードの通信ノードＮ４方向を下り、逆に、通信ノードＮ４から通信ノードＮ１方向を上りとする。
【００３０】
制御プレーン５０では、シグナリング制御に対応した通信ノードＮ１，Ｎ２，Ｎ４それぞれには制御ノードＣ１，Ｃ２，Ｃ４に接続されており、シグナリング制御に対応していない通信ノードＮ３に対応する制御ノードは存在しない。ネットワーク管理システムＮＭＳからシグナリングによる構成変更を指示された通信ノードＮ１は明示経路情報で示された指定通信ポートに関する構成変更を行い、明示経路情報で示されたパスの次ホップである通信ノードＮ２に制御メッセージを転送する。
【００３１】
通信ノードＮ２も同様に明示経路情報で示された指定通信ポートに関する構成変更を行うが、図４に示す隣接ノード状態情報テーブルを参照することにより、次ホップの通信ノードＮ３がシグナリング非対応であることを認識する。そして、図３の明示経路情報と図４の隣接ノード状態情報テーブルから、通信ノードＮ３の次ホップである通信ノードＮ４に制御メッセージ転送可能であることを認識し、通信ノードＮ４に制御メッセージを転送する。
【００３２】
図４は、シグナリング制御に対応し、制御プレーン５０に接続されている通信ノード（図２内の通信ノードＮ２）が所持する隣接ノード状態情報テーブルのデータ構造とデータ例を示す図である。同図中、隣接する通信ノードがそれぞれシグナリング制御に対応しているか否かが示されており、シグナリング制御に対応していない通信ノードＮ４の場合、通信ノードＮ４に隣接する通信ノードの中で制御メッセージが転送可能な全ての通信ノードが示されている。
【００３３】
通信ノードＮ４は指定通信ポートに関する構成変更を行う。シグナリング非対応の通信ノードＮ３は、ネットワーク管理システムＮＭＳが管理プレーン４０経由で指定通信ポートに関する構成変更を行うことによって、データプレーン６０で通信ノードＮ１から通信ノードＮ４までの要求されたパス設定を完了する。
図５は、本発明方法の第１実施例を説明するための図を示す。この第１実施例では、シグナリング非対応通信装置に隣接するシグナリング対応通信装置が、ネットワーク管理システムＮＭＳにシグナリング非対応通信装置の構成変更要求をする。ここでは、ＩＥＴＦ（Ｉｎｔｅｒｎｅｔ  Ｅｎｇｉｎｅｅｒｉｎｇ  Ｔａｓｋ  Ｆｏｒｃｅ）で現在標準化中のシグナリングプロトコルＧＭＰＬＳの処理手順を用いて説明する。なお、図中の丸付き数字は手順番号と対応している。
【００３４】
手順１：ネットワーク管理システムＮＭＳにおいて、通信ノードＮ１−Ｎ２−Ｎ３−Ｎ４というパスが計算され、始ノードである通信ノードＮ１の制御ノードＣ１に明示経路情報を含むシグナリングメッセージとしてのパスメッセージを管理プレーン４０経由で送り、設定要求する。
【００３５】
手順２：制御ノードＣ１は指定された通信ノードＮ１のポートを予約し、明示経路情報のＮ１の行を削除し、制御プレーン５０経由でパスメッセージを制御ノードＣ２に転送する。
【００３６】
手順３：制御ノードＣ２は指定された通信ノードＮ２のポートを予約し、明示経路情報のＮ２の行を削除し、隣接ノード状態情報テーブルから次の通信ノードＮ３がシグナリング非対応通信装置であることを認識し、パスメッセージの通信ノードＮ３に関する情報に基づき、ネットワーク管理システムＮＭＳに通信ノードＮ３のポート予約を要求する。
【００３７】
手順４：ネットワーク管理システムＮＭＳは、制御ノードＣ２からの要求と通信ノードＮ３のポート情報に基づき、管理プレーン４０経由で通信ノードＮ３のポートを予約する。
【００３８】
手順５：ネットワーク管理システムＮＭＳは制御ノードＣ２に要求処理終了を通知する。
【００３９】
手順６：制御ノードＣ２は、ネットワーク管理システムＮＭＳから通信ノードＮ３のポート予約処理終了通知を受け取ると、明示経路情報のＮ３の行を削除し、制御プレーン５０経由でパスメッセージを制御ノードＣ４に転送する。
【００４０】
手順７：制御ノードＣ４は明示経路情報から自装置が終ノードになることを認識し、指定されたポートを構成変更（クロスコネクト）し、構成情報を含むＲｅｓｖメッセージを生成する。隣接ノード状態情報テーブルから通信ノードＮ３がシグナリング非対応通信装置であることを認識し、Ｒｅｓｖメッセージの通信ノードＮ３に関する情報に基づき、ネットワーク管理システムＮＭＳに通信ノードＮ３のポート構成変更を要求する。
【００４１】
手順８：ネットワーク管理システムＮＭＳは、制御ノードＣ４からの要求と通信ノードＮ３のポート予約状況に基づき、管理プレーン４０経由で通信ノードＮ３のポートを構成変更する。
【００４２】
手順９：制御ノードＣ４に要求処理終了を通知する。
【００４３】
手順１０：制御ノードＣ４は、ネットワーク管理システムＮＭＳから通信ノードＮ３のポート構成変更終了通知を受け取ると、通信ノードＮ３に関する構成情報をＲｅｓｖメッセージに書込み、このＲｅｓｖメッセージを制御プレーン５０経由で制御ノードＣ２に転送する。
【００４４】
手順１１：制御ノードＣ２は予約したポートを構成変更し、構成情報を含むＲｅｓｖメッセージを制御プレーン５０経由で制御ノードＣ１に転送する。制御ノードＣ１は予約したポートを構成変更し、自装置が始ノードであることを認識し、設定したパスにデータ転送を開始する。
【００４５】
図６は、制御プレーン５０に接続しない通信ノード（シグナリング非対応通信装置）に隣接するシグナリング対応通信装置（Ｎ２）が、パス設定の際に通信ポートの予約を行うパスメッセージを受信した場合に実行する処理のフローチャートを示す。
【００４６】
同図中、パスメッセージを受信すると、ステップＳ２０でメッセージに含まれる明示経路情報に基づき自身の指定ポートを予約し、明示経路情報の自ノードの行を削除して、図４に示す隣接ノード状態情報テーブルを参照する。ステップＳ２１で明示経路情報の次ホップがシグナリング非対応通信装置である場合、ステップＳ２２にてネットワーク管理システムＮＭＳに指定ポートの予約を要求する。
【００４７】
そして、ステップＳ２３でネットワーク管理システムＮＭＳから処理完了の通知を受信すると、ステップＳ２４でシグナリング非対応通信装置の代理処理として明示経路情報の行（図３のノード識別子Ｎ３の行）を削除し、非対応ノードに隣接するノードにパスメッセージを転送し、処理を終了する。
【００４８】
このようにして、シグナリング対応通信装置とシグナリング非対応通信装置とで構成される通信ネットワークでシグナリング制御により従来と同じ手順でユーザデータ転送用ネットワークのパス設定を行うことができる。
【００４９】
図７は、本発明方法の第２実施例を説明するための図を示す。この第２実施例では、ネットワーク管理システムＮＭＳが経路計算後にシグナリング非対応通信装置の構成変更を行う。前述と同様にシグナリングプロトコルＧＭＰＬＳの処理手順を用いて説明する。なお、図中の丸付き数字は手順番号と対応している。
【００５０】
手順１：ネットワーク管理システムＮＭＳが通信ノードＮ１−Ｎ２−Ｎ３−Ｎ４というパスを計算し、明示経路情報を作成する。この明示経路情報と通信ノードＮ３のポート情報から、管理プレーン４０経由で通信ノードＮ３のポートを予約および構成変更を完了してしまう。
【００５１】
手順２：ネットワーク管理システムＮＭＳは始ノードＮ１の制御ノードＣ１に明示経路情報を含むシグナリングメッセージとしてのパスメッセージを管理プレーン４０経由で送り、設定要求する。
【００５２】
手順３：制御ノードＣ１は指定された通信ノードＮ１のポートを予約し、明示経路情報のＮ１の行を削除し、制御プレーン５０経由でパスメッセージを制御ノードＣ２に転送する。
【００５３】
手順４：制御ノードＣ２は指定された通信ノードＮ２のポートを予約し、明示経路情報のＮ２の行を削除し、隣接ノード状態情報テーブルから次の通信ノードＮ３がシグナリング非対応通信装置であることを認識し、明示経路情報のＮ３の行を削除し、制御プレーン５０経由でパスメッセージを制御ノードＣ４に転送する。
【００５４】
手順５：制御ノードＣ４は明示経路情報から自装置が終ノードになることを認識し、指定されたポートを構成変更（クロスコネクト）し、構成情報を含むＲｅｓｖメッセージを生成する。隣接ノード状態情報テーブルからノード通信ノードＮ３がシグナリング非対応通信装置であることを認識し、通信ノードＮ３に関する構成情報をＲｅｓｖメッセージに書込み、制御プレーン５０経由でＲｅｓｖメッセージを制御ノードＣ２に転送する。
【００５５】
手順６：制御ノードＣ２は予約した通信ノードＮ２のポートを構成変更し、構成情報を含むＲｅｓｖメッセージを制御プレーン５０経由で制御ノードＣ１に転送する。制御ノードＣ１は予約した通信ノードＮ１のポートを構成変更し、自装置が始ノードであることを認識し、設定したパスにデータ転送を開始する。
【００５６】
このようにして、シグナリング対応通信装置とシグナリング非対応通信装置とで構成される通信ネットワークでシグナリング制御によりユーザデータ転送用ネットワークのパス設定を行うことができる。この実施例では、シグナリング非対応通信装置に隣接するシグナリング対応通信装置とネットワーク管理システムＮＭＳとの間の通信を削減して効率的なパス設定が可能となる。
【００５７】
図８は、本発明の通信ネットワークの第２実施例のシステム構成図を示す。同図中、データプレーン６０内に制御プレーン５０に接続しないシグナリング非対応の通信ノードから構成されるドメイン６２が存在する。
【００５８】
まず、ネットワーク管理システムＮＭＳは、管理プレーン４０によって通信ノードＮ１，Ｎ２，Ｎ３１，Ｎ３２，Ｎ３３，Ｎ３４，Ｎ４と接続されており、他の通信ネットワークからのパス設定を受け付け、ネットワーク管理システムＮＭＳ内のデータベース４１に格納された構成情報を参照し、要求された始ノードと終ノード（エンド・エンド）のパスを計算する。
【００５９】
今、通信ノードＮ１から通信ノードＮ４までのパス設定が要求され、ネットワーク管理システムＮＭＳが、通信ノードＮ１−Ｎ２−Ｎ３１−Ｎ３２−Ｎ３４−Ｎ４というパスを算出したとすると、パスの始点となる通信ノードＮ１に明示経路情報を送り、シグナリングによる構成変更を指示する。
【００６０】
制御プレーン５０では、シグナリング制御に対応した通信ノードＮ１，Ｎ２，Ｎ４のみが接続されており、シグナリング制御に対応していない通信ノードＮ３１，Ｎ３２，Ｎ３３，Ｎ３４から構成されるドメインは接続されていない。ネットワーク管理システムＮＭＳからシグナリングによる構成変更を指示された通信ノードＮ１は指定通信ポートに関する構成変更を行い、パスの次ホップである通信ノードＮ２に制御メッセージを転送する。
【００６１】
通信ノードＮ２も同様に指定通信ポートに関する構成変更を行うが、図４に示すような隣接ノード状態情報テーブルを参照することにより、次ホップの通信ノードＮ３１がシグナリング非対応のドメインにあることを認識する。そして、図３に示すような明示経路情報と図４に示すような隣接ノード状態情報テーブルから、シグナリング非対応ドメインに隣接する次ホップである通信ノードＮ４は制御メッセージ転送可能であることを認識し、通信ノードＮ４に制御メッセージを転送する。
【００６２】
通信ノードＮ４は指定通信ポートに関する構成変更を行う。シグナリング非対応ドメイン内の通信ノードは、ネットワーク管理システムＮＭＳが管理プレーン４０経由で指定通信ポートに関する構成変更を行うことによって、ユーザデータ転送用ネットワークで通信ノードＮ１から通信ノードＮ４までの要求されたパス設定を完了する。
【００６３】
図９は、本発明方法の第３実施例を説明するための図を示す。この第３実施例では、シグナリング非対応通信装置の通信ノードの集合から構成されるドメイン６２に隣接するシグナリング対応通信装置が、ネットワーク管理システムに構成変更要求をする。前述の実施例と同様にシグナリングプロトコルＧＭＰＬＳの処理手順を用いて説明する。なお、図中の丸付き数字は手順番号と対応している。
【００６４】
手順１：ネットワーク管理システムＮＭＳは、通信ノードＮ１−Ｎ２−Ｎ３１−Ｎ３２−Ｎ３４−Ｎ４というパスを計算し、始ノードＮ１の制御ノードＣ１に明示経路情報を含むシグナリングメッセージとしてのパスメッセージを管理プレーン４０経由で送り、設定要求する。
【００６５】
手順２：制御ノードＣ１は指定された通信ノードＮ１のポートを予約し、明示経路情報のＮ１の行を削除し、制御プレーン５０経由でパスメッセージを制御ノードＣ２に転送する。
【００６６】
手順３：制御ノードＣ２は指定された通信ノードＮ２のポートを予約し、明示経路情報のＮ２の行を削除し、隣接ノード状態情報テーブルから次のノードＮ３１がシグナリング非対応通信装置のドメイン６２を構成していることを認識し、このドメイン６２に隣接しているシグナリング対応通信装置が通信ノードＮ４であることを認識する。パスメッセージ中の明示経路情報で通信ノードＮ４までの通信ノードＮ３１−Ｎ３２−Ｎ３４に関する情報に基づき、ネットワーク管理システムＮＭＳに通信ノードＮ３１−Ｎ３２−Ｎ３４のポート予約を要求する。
【００６７】
手順４：ネットワーク管理システムＮＭＳは、制御ノードＣ２からの要求と通信ノードＮ３１−Ｎ３２−Ｎ３４のポート情報に基づき、管理プレーン４０経由で通信ノードＮ３１−Ｎ３２−Ｎ３４のポートを予約する。
【００６８】
手順５：ネットワーク管理システムＮＭＳ制御ノードＣ２に要求処理終了を通知する。
【００６９】
手順６：制御ノードＣ２は、ネットワーク管理システムＮＭＳから通信ノードＮ３１−Ｎ３２−Ｎ３４のポート予約処理終了通知を受け取ると、明示経路情報の通信ノードＮ３１−Ｎ３２−Ｎ３４の行を削除し、制御プレーン５０経由でパスメッセージを制御ノードＣ４に転送する。
【００７０】
手順７：制御ノードＣ４は明示経路情報から自装置が終ノードになることを認識し、指定されたポートを構成変更（クロスコネクト）し、構成情報を含むＲｅｓｖメッセージを生成する。通信ノードＮ４の隣接ノード状態情報テーブルから隣接ノードＮ３１がシグナリング非対応通信装置のドメイン６２を構成していることを認識し、このドメイン６２に隣接しているシグナリング対応通信装置が通信ノードＮ２であることを認識する。Ｒｅｓｖメッセージの通信ノードＮ３１−Ｎ３２−Ｎ３４に関する情報に基づき、ネットワーク管理システムＮＭＳに通信ノードＮ３１−Ｎ３２−Ｎ３４のポート構成変更を要求する。
【００７１】
手順８：ネットワーク管理システムＮＭＳは、制御ノードＣ４からの要求と通信ノードＮ３１−Ｎ３２−Ｎ３４のポート予約状況に基づき、管理プレーン４０経由で通信ノードＮ３１−Ｎ３２−Ｎ３４のポートを構成変更する。
【００７２】
手順９：制御ノードＣ４に要求処理終了を通知する。
【００７３】
手順１０：制御ノードＣ４は、ネットワーク管理システムＮＭＳから通信ノードＮ３１−Ｎ３２−Ｎ３４のポート構成変更終了通知を受け取ると、通信ノードＮ３１−Ｎ３２−Ｎ３４に関する構成情報をＲｅｓｖメッセージに書込み、制御プレーン５０経由でＲｅｓｖメッセージを制御ノードＣ２に転送する。
【００７４】
手順１１：制御ノードＣ２は予約したポートを構成変更し、構成情報を含むＲｅｓｖメッセージを制御プレーン５０経由で制御ノードＣ１に転送する。制御ノードＣ１は予約したポートを構成変更し、自装置が始ノードであることを認識し、設定したパスにデータ転送を開始する。
【００７５】
このようにして、シグナリング対応通信装置とシグナリング非対応通信装置の集合であるドメインとで構成される通信ネットワークでシグナリング制御によりユーザデータ転送用ネットワークのパス設定を行うことができる。
【００７６】
図１０は、本発明方法の第４実施例を説明するための図を示す。この第４実施例では、ネットワーク管理システムＮＭＳが経路計算後にシグナリング非対応通信装置の集合から構成されるドメイン６２の構成変更を行う。前述の実施例と同様にシグナリングプロトコルＧＭＰＬＳの処理手順を用いて説明する。なお、図中の丸付き数字は手順番号と対応している。
【００７７】
手順１：ネットワーク管理システムＮＭＳにおいて、通信ノードＮ１−Ｎ２−Ｎ３１−Ｎ３２−Ｎ３４−Ｎ４というパスを計算し、明示経路情報を作成する。この明示経路情報と通信ノードＮ３１−Ｎ３２−Ｎ３４のポート情報から、管理プレーン４０経由で通信ノードＮ３１−Ｎ３２−Ｎ３４のポートを予約および構成変更を完了してしまう。
【００７８】
手順２：ネットワーク管理システムＮＭＳは始ノードＮ１の制御ノードＣ１に明示経路情報を含むシグナリングメッセージとしてのパスメッセージを管理プレーン４０経由で送り、設定要求する。
【００７９】
手順３：制御ノードＣ１は指定された通信ノードＮ１のポートを予約し、明示経路情報のＮ１の行を削除し、制御プレーン５０経由でパスメッセージを制御ノードＣ２に転送する。
【００８０】
手順４：制御ノードＣ２は自装置に指定されたポートを予約し、明示経路情報のＮ２の行を削除し、隣接ノード状態情報テーブルから次のノード通信ノードＮ３１がシグナリング非対応通信装置のドメイン６２を構成していることを認識し、このドメイン６２に隣接しているシグナリング対応通信装置が通信ノードＮ４であることを認識する。これらの情報から明示経路情報の通信ノードＮ４までの通信ノードＮ３１−Ｎ３２−Ｎ３４に関する行を削除し、制御プレーン５０経由でパスメッセージを制御ノードＣ４に転送する。
【００８１】
手順５：制御ノードＣ４は明示経路情報から自装置が終ノードになることを認識し、指定されたポートを構成変更（クロスコネクト）し、構成情報を含むＲｅｓｖメッセージを生成する。隣接ノード状態情報テーブルから隣接ノードＮ３１がシグナリング非対応通信装置のドメイン６２を構成していることを認識し、このドメイン６２に隣接しているシグナリング対応通信装置が通信ノードＮ２であることを認識する。これらの情報から明示経路情報の通信ノードＮ２までの通信ノードＮ３１−Ｎ３２−Ｎ３４に関する構成情報をＲｅｓｖメッセージに書込み、制御プレーン５０経由でＲｅｓｖメッセージを制御ノードＣ２に転送する。
【００８２】
手順６：制御ノードＣ２は予約したポートを構成変更し、構成情報を含むＲｅｓｖメッセージを制御プレーン５０経由で制御ノードＣ１に転送する。制御ノードＣ１は予約したポートを構成変更し、自装置が始ノードであることを認識し、設定したパスにデータ転送を開始する。
【００８３】
このようにして、シグナリング対応通信装置とシグナリング非対応通信装置の集合であるドメインとで構成される通信ネットワークでシグナリング制御によりユーザデータ転送用ネットワークのパス設定を行うことができる。この実施例では、ドメインに隣接するシグナリング対応通信装置とネットワーク管理システムＮＭＳとの間の通信を削減して効率的なパス設定が可能となる。
【００８４】
図１１は、本発明が適用される通信ネットワークの一実施例の詳細構成図を示す。同図中、制御プレーン５０はＩＰ技術をベースとするパケット転送網であり、制御ノード５１〜５７どうしが、パス設定のためのシグナリングプロトコルを転送する。また、データプレーン６０では、ＯＸＣ（Ｏｐｔｉｃａｌ  Ｃｒｏｓｓ−Ｃｏｎｎｅｃｔ）６１〜６７がユーザデータを転送するために設置されいる。なお、制御ノード５１〜５７とＯＸＣ６１〜６７は、機能の違いから論理的に離してあるが、実際は１つの架の中に実装されるノードシステムである。
【００８５】
管理プレーン４０は、クライアント４２，ＩＰ−ＮＭＳ４３，Ｐ−ＮＭＳ４４，ＥＭＳ４５，４６，４７から構成されている。この管理プレーン４０のネットワーク管理システムＮＭＳは、ＳＮＭＰを用いて制御プレーン５０の制御ノードに管理コマンドを送信する。この時、ネットワーク管理システムＮＭＳが制御ノードに明示経路情報を送ることにより、指定された経路に沿った光パス設定が可能になる。また、ネットワーク管理システムＮＭＳからデータプレーン６０のＯＸＣに対してもＴＬ１（Ｔｒａｎｓａｃｔｉｏｎ  Ｌａｎｇｕａｇｅ  １）コマンドによりオペレータの手動設定が可能である。
【００８６】
制御ノードは、ネットワーク管理システムＮＭＳから与えられた明示経路情報に従い、シグナリングメッセージ（ＲＳＶＰ−ＴＥ）を順次転送する。各制御ノードは、接続されたＯＸＣに対して、ＴＬ１コマンドにより構成変更を行う。また、ＯＸＣは、ネットワーク管理システムＮＭＳと制御ノードの両方からコマンドを受け付けるためのインターフェースを備えている。但し、ネットワーク管理システムＮＭＳからのコマンドしか受け付けることができないＯＸＣ３も存在する。
【００８７】
図１２は、制御ノード部と通信ノード部で構成されるシグナリング対応通信装置の一実施例のブロック図を示す。同図中、制御ノード部では、ＮＭＳコマンド受信部１０１でネットワーク管理システムＮＭＳから明示経路情報を受け取り、シグナリングプロトコル処理部１０４の判断からＩＰルーティング部１０５でルーティングテーブル１０６を参照し、メッセージをシグナリングプロトコル送信部１０７から隣接する他の制御ノードに転送する。
【００８８】
隣接ノード状態情報テーブル（図４に示す）は隣接情報データベース１０３に記録されており、シグナリングプロトコル受信部１０２で隣接する他の制御ノードからメッセージを受け取った際に、シグナリングプロトコル処理部１０４は隣接ノード状態情報テーブルを参照し、ネットワーク管理システムＮＭＳにシグナリング代理処理を要求するか否かを決定する。
【００８９】
ＯＸＣ部では、制御ノード部からのコマンドは光スイッチ制御部１０９に供給され、また、ネットワーク管理システムＮＭＳからのコマンドはＮＭＳコマンド受信部１０８で受信されて光スイッチ制御部１０９に供給される。光スイッチ制御部１０９は、ＭＥＭＳ（Ｍｉｃｒｏ  Ｅｌｅｃｔｒｏ  ＭｅｃｈａｎｉｃａｌＳｙｓｔｅｍｓ）により構成される光スイッチ部１１３の構成変更、即ちスイッチングによるクロスコネクトを行う。ＷＤＭ（Ｗａｖｅｌｅｎｇｔｈ  Ｄｉｖｉｓｉｏｎ  Ｍｕｌｔｉｐｌｅｘｉｎｇ）により多重化された光信号は、光信号受信部１１２で分波され、光スイッチ部１１３でクロスコネクトされた後、光信号送信部１１４へと送られる。なお、光信号の障害は、信号障害監視部１１０，１１１により検知され、光スイッチ制御部１０９により光スイッチ部１１３の再構成等を行う。
【００９０】
上記のように、制御プレーン５０に接続しないシグナリング非対応通信装置をネットワーク管理システムＮＭＳが構成変更し、データプレーン６０上でシグナリング非対応通信装置に隣接するシグナリング対応通信装置がシグナリング非対応通信装置を認識し、シグナリングメッセージに対して代理処理を行い、制御プレーン５０上で順次、制御メッセージを転送する。このため、データプレーン６０において、シグナリング制御に対応しない通信ノードを含むエンド−エンドのパス設定が可能となり、新機能を搭載した通信ノードをシステムに導入してゆく途中段階において実用的であり、極めて有用である。
【００９１】
なお、１０３が請求項記載の隣接ノード状態情報記憶手段に対応し、ステップＳ２４，Ｓ２５がメッセージ転送手段に対応し、ステップＳ２２が構成変更要求手段に対応し、が構成変更手段に対応する。
【００９２】
（付記１）  ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなる通信ネットワークのシグナリング制御方法であって、
前記管理用ネットワークに接続された制御ノードと前記制御ノード及び前記管理用ネットワークに接続された通信ノードとからなるシグナリング対応通信装置と、前記管理用ネットワークに接続された通信ノードのみからなるシグナリング非対応通信装置とを用いて前記通信ネットワークを構成し、
前記ユーザデータ転送用ネットワーク内で前記シグナリング非対応通信装置を経由するパス設定が要求された際に、前記ネットワーク管理システムは前記シグナリング非対応通信装置の通信ノードを構成変更し、
前記シグナリング対応通信装置の制御ノードは前記制御用ネットワークの設定要求パス上でシグナリングメッセージを順次転送して通信ノードの構成変更を行うことを特徴とするシグナリング制御方法。
【００９３】
（付記２）  付記１記載のシグナリング制御方法であって、
前記ユーザデータ転送用ネットワーク内で前記シグナリング非対応通信装置を経由するパス設定が要求された際に、前記シグナリング非対応通信装置に隣接するシグナリング対応通信装置の制御ノードは前記シグナリングメッセージを受信すると前記ネットワーク管理システムに前記シグナリング非対応通信装置の通信ノードの構成変更を要求し、
前記シグナリング非対応通信装置の通信ノードの構成変更後、前記シグナリング非対応通信装置に隣接するシグナリング対応通信装置の制御ノードは前記シグナリングメッセージに対して前記シグナリング非対応通信装置が行うべき手続きを実行し、前記制御用ネットワークの設定要求パス上で前記シグナリング非対応通信装置に隣接する次のシグナリング対応通信装置の制御ノードにシグナリングメッセージを転送して通信ノードの構成変更を行うことを特徴とするシグナリング制御方法。
【００９４】
（付記３）  付記１記載のシグナリング制御方法であって、
前記ユーザデータ転送用ネットワーク内で前記シグナリング非対応通信装置を経由するパス設定が要求された際に、前記ネットワーク管理システムは前記シグナリング非対応通信装置の通信ノードを構成変更し、
前記シグナリング非対応通信装置の通信ノードの構成変更後、前記シグナリング非対応通信装置に隣接するシグナリング対応通信装置の制御ノードは前記シグナリングメッセージに対して前記シグナリング非対応通信装置が行うべき手続きを実行し、前記制御用ネットワークの設定要求パス上で前記シグナリング非対応通信装置に隣接する次のシグナリング対応通信装置の制御ノードにシグナリングメッセージを転送して通信ノードの構成変更を行うことを特徴とするシグナリング制御方法。
【００９５】
（付記４）  ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなる通信ネットワークのシグナリング制御方法であって、
前記管理用ネットワークに接続された制御ノードと前記制御ノード及び前記管理用ネットワークに接続された通信ノードとからなるシグナリング対応通信装置と、前記管理用ネットワークに接続された通信ノードのみからなるシグナリング非対応通信装置の集合であるドメインとを用いて前記通信ネットワークを構成し、
前記ユーザデータ転送用ネットワーク内で前記ドメインを経由するパス設定が要求された際に、前記ネットワーク管理システムは前記ドメインの各シグナリング非対応通信装置の通信ノードを構成変更し、
前記シグナリング対応通信装置の制御ノードは前記制御用ネットワークの設定要求パス上でシグナリングメッセージを順次転送して通信ノードの構成変更を行うことを特徴とするシグナリング制御方法。
【００９６】
（付記５）  付記４記載のシグナリング制御方法であって、
前記ユーザデータ転送用ネットワーク内で前記ドメインを経由するパス設定が要求された際に、前記ドメインに隣接するシグナリング対応通信装置の制御ノードは前記シグナリングメッセージを受信すると前記ネットワーク管理システムに前記ドメインの通信ノードの構成変更を要求し、
前記ドメインの通信ノードの構成変更後、前記ドメインに隣接するシグナリング対応通信装置の制御ノードは前記シグナリングメッセージに対して前記シグナリング非対応通信装置が行うべき手続きを実行し、前記制御用ネットワークの設定要求パス上で前記ドメインに隣接する次のシグナリング対応通信装置の制御ノードにシグナリングメッセージを転送して通信ノードの構成変更を行うことを特徴とするシグナリング制御方法。
【００９７】
（付記６）  付記４記載のシグナリング制御方法であって、
前記ユーザデータ転送用ネットワーク内で前記ドメインを経由するパス設定が要求された際に、前記ネットワーク管理システムは前記ドメインの通信ノードを構成変更し、
前記ドメインの通信ノードの構成変更後、前記ドメインに隣接するシグナリング対応通信装置の制御ノードは前記シグナリングメッセージに対して前記シグナリング非対応通信装置が行うべき手続きを実行し、前記制御用ネットワークの設定要求パス上で前記ドメインに隣接する次のシグナリング対応通信装置の制御ノードにシグナリングメッセージを転送して通信ノードの構成変更を行うことを特徴とするシグナリング制御方法。
【００９８】
（付記７）  ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなる通信ネットワークを構成し、前記管理用ネットワークに接続された制御ノードと前記制御ノード及び前記管理用ネットワークに接続された通信ノードとからなるシグナリング対応通信装置において、
隣接する通信装置が前記制御ノードを持つシグナリング対応か否かの隣接ノード状態情報を記憶した隣接ノード状態情報記憶手段と、
シグナリングメッセージにより隣接するシグナリング非対応通信装置に対しパス設定を要求されたとき、前記シグナリングメッセージに対して前記シグナリング非対応通信装置が行うべき手続きを実行し、前記制御用ネットワークの設定要求パス上で前記シグナリング非対応通信装置に隣接する次のシグナリング対応通信装置の制御ノードにシグナリングメッセージを転送するメッセージ転送手段を
有することを特徴とするシグナリング対応通信装置。
【００９９】
（付記８）  付記７記載のシグナリング対応通信装置において、
前記シグナリングメッセージにより隣接するシグナリング非対応通信装置に対しパス設定を要求されたとき、前記ネットワーク管理システムに前記シグナリング非対応通信装置の通信ノードの構成変更を要求する構成変更要求手段を
有することを特徴とするシグナリング対応通信装置。
【０１００】
（付記９）  ネットワーク管理システムを接続する管理用ネットワークと、シグナリング制御を行う複数の制御ノードで構成される制御用ネットワークと、ユーザデータを転送する複数の通信ノードで構成されるユーザデータ転送用ネットワークとからなり、前記管理用ネットワークに接続された制御ノードと前記制御ノード及び前記管理用ネットワークに接続された通信ノードとからなるシグナリング対応通信装置と、前記管理用ネットワークに接続された通信ノードのみからなるシグナリング非対応通信装置とを用いて構成した通信ネットワークにおけるネットワーク管理システムにおいて、
前記ユーザデータ転送用ネットワーク内で前記シグナリング非対応通信装置を経由するパス設定が要求された際、または、前記シグナリング非対応通信装置に隣接するシグナリング対応通信装置の制御ノードからの要求により、前記シグナリング非対応通信装置の通信ノードの構成変更を行う手段を
有することを特徴とするネットワーク管理システム。
【０１０１】
（付記１０）  付記７記載のシグナリング対応通信装置において、
前記メッセージ転送手段は、前記シグナリングメッセージにより隣接するシグナリング非対応通信装置の集合であるドメインに対しパス設定を要求されたとき、前記シグナリングメッセージに対して前記シグナリング非対応通信装置が行うべき手続きを実行し、前記制御用ネットワークの設定要求パス上で前記ドメインに隣接する次のシグナリング対応通信装置の制御ノードにシグナリングメッセージを転送することを特徴とするシグナリング対応通信装置。
【０１０２】
（付記１１）  付記８記載のシグナリング対応通信装置において、
前記構成変更要求手段は、前記シグナリングメッセージにより隣接するドメインに対しパス設定を要求されたとき、前記ネットワーク管理システムに前記ドメインの通信ノードの構成変更を要求することを特徴とするシグナリング対応通信装置。
【０１０３】
【発明の効果】
上述の如く、請求項１に記載の発明によれば、シグナリング対応通信装置とシグナリング非対応通信装置とで構成される通信ネットワークでシグナリング制御によりユーザデータ転送用ネットワークのパス設定を行うことができる。
【０１０４】
請求項２に記載の発明によれば、シグナリング対応通信装置とシグナリング非対応通信装置の集合であるドメインとで構成される通信ネットワークでシグナリング制御によりユーザデータ転送用ネットワークのパス設定を行うことができる。
【０１０５】
請求項３に記載の発明によれば、シグナリング対応通信装置とシグナリング非対応通信装置の集合であるドメインとで構成される通信ネットワークでシグナリング制御により従来と同じ手順でユーザデータ転送用ネットワークのパス設定を行うことができる。
【０１０６】
請求項４に記載の発明によれば、シグナリング対応通信装置とシグナリング非対応通信装置とで構成される通信ネットワークでシグナリング制御によりユーザデータ転送用ネットワークでパスの設定を行うことが可能となる。
【０１０７】
請求項５に記載の発明によれば、シグナリング対応通信装置とシグナリング非対応通信装置とで構成される通信ネットワークでシグナリング制御によりユーザデータ転送用ネットワークのパス設定を行うことができる。
【図面の簡単な説明】
【図１】通信ネットワークの一例のシステム構成図である。
【図２】本発明の通信ネットワークの第１実施例のシステム構成図である。
【図３】明示経路情報を示す図である。
【図４】隣接ノード状態情報テーブルを示す図である。
【図５】本発明方法の第１実施例を説明するための図である。
【図６】シグナリング非対応通信装置に隣接するシグナリング対応通信装置がパス設定の際に通信ポートの予約を行うパスメッセージを受信した場合に実行する処理のフローチャートである。
【図７】本発明方法の第２実施例を説明するための図である。
【図８】本発明の通信ネットワークの第２実施例のシステム構成図である。
【図９】本発明方法の第３実施例を説明するための図である。
【図１０】本発明方法の第４実施例を説明するための図である。
【図１１】本発明が適用される通信ネットワークの一実施例の詳細構成図である。
【図１２】制御ノード部と通信ノード部で構成されるシグナリング対応通信装置の一実施例のブロック図である。
【符号の説明】
４０  管理プレーン
４１  データベース
５０  制御プレーン
６０  データプレーン
１０１  ＮＭＳコマンド受信部
１０２  シグナリングプロトコル受信部
１０３  隣接情報データベース
１０４  シグナリングプロトコル処理部
１０５  ＩＰルーティング部
１０６  ルーティングテーブル
１０７  シグナリングプロトコル送信部
１０８  ＮＭＳコマンド受信部
１０９  光スイッチ制御部
１１０，１１１  信号障害監視部
１１２  光信号受信部
１１３  光スイッチ部
１１４  光信号送信部
Ｃ１，Ｃ２，Ｃ４  制御ノード
Ｎ１，Ｎ２，Ｎ３，Ｎ４，Ｎ３１，Ｎ３２，Ｎ３３，Ｎ３４  通信ノード
ＮＭＳ  ネットワーク管理システム
【図１】
0003914087.tif 000002
【図２】
0003914087.tif 000003
【図３】
0003914087.tif 000004
【図４】
0003914087.tif 000005
【図５】
0003914087.tif 000006
【図６】
0003914087.tif 000007
【図７】
0003914087.tif 000008
【図８】
0003914087.tif 000009
【図９】
0003914087.tif 000010
【図１０】
0003914087.tif 000011
【図１１】
0003914087.tif 000012
【図１２】
0003914087.tif 000013